(57)【要約】      （修正有）【課題】小動物が走る回転盤の設置角度を調整でき、多様な運動モードに切り替えられる小動物用運動装置を提供する。【解決手段】支持本体１０は外壁面及び内壁面を有する前蓋１１と前蓋の内壁面に間隔で配置された両枢接部とを含み、前蓋の外壁面に連結凹部が設けられ、両枢接部の相対向する側面にそれぞれ位置決め突起が設けられ、スタンド２０は後蓋２１と後蓋の一方側に間隔で配置された二つの円盤状の枢動部２２とを含み、各枢動部の周縁に間隔で配置された複数の位置決め切欠き２３を有し、各位置決め切欠きの形状は位置決め突起の形状と対応し、位置決め突起は複数の位置決め切欠きの一つに係合可能に構成され、スタンドは両枢動部を介して両枢接部に枢接されて支持本体と枢動可能に連結され、回転盤３０は表て面及び裏面を有し、裏面に連結凹部に回転自在に挿設されるための支持軸が突出形成される。【選択図】図２
0003235258.tif 000002
【実用新案登録請求の範囲】
【請求項１】
支持本体とスタンドと回転盤とを備える、小動物用運動装置であって、
前記支持本体は、外壁面及び内壁面を有する前蓋と、該前蓋の内壁面に間隔をおいて配置される二つの枢接部とを含み、該前蓋の外壁面に連結凹部が設けられ、該二つの枢接部の相対向する側面にそれぞれ、位置決め突起が設けられ、
前記スタンドは、後蓋と、該後蓋の一方側に間隔を置いて設置される二つの円盤状の枢動部とを含み、該各枢動部の周縁上に間隔をおいて配置される複数の位置決め切欠きを有し、該各位置決め切欠きの外形形状は、前記位置決め突起の外形形状に対応し、該位置決め突起は、該複数の位置決め切欠きのうちの一つに選択的に係合可能であり、該スタンドは、該両枢動部を介して該両枢接部に枢接されて、前記支持本体に枢動可能に連結され、
前記回転盤は、表て面及び裏面を有し、該裏面に、前記連結凹部に回転自在に挿設されるための支持軸が突出形成されることを特徴とする小動物用運動装置。
【請求項２】
前記複数の位置決め切欠きは、高角度用位置決めスリットと、低角度用位置決めスリットと、収納用位置決めスリットとから構成され、前記位置決め突起が該高角度用位置決めスリットに係合される時の前記回転盤の水平面に対する傾斜角度は２５度であり、該位置決め突起が該低角度用位置決めスリットに係合される時の該回転盤の水平面に対する傾斜角度は３５度であり、該位置決め突起が該収納用位置決めスリットに係合される時、前記後蓋は前記前蓋内に折り畳まれるように収納される状態となることを特徴とする請求項１に記載の小動物用運動装置。
【請求項３】
前記連結凹部内に軸受がさらに設置され、
前記支持軸の前記回転盤裏面寄りの端部に、該支持軸の外周を囲繞するように間隔をおいて配置され、ラジアル外方へ突出する複数の当り部が形成され、該複数の当り部が形成される端部の反対側の端部に、係止突起部が形成され、該係止突起部が前記軸受に挿設された状態で、該各当り部が該軸受に当接していることを特徴とする請求項１又は請求項２に記載の小動物用運動装置。
【請求項４】
前記回転盤の表て面に複数のリブが突出形成され、該各リブは、該回転盤のラジアル方向に沿って延在し、間隔をおいて放射状に配列されることを特徴とする請求項３に記載の小動物用運動装置。
【請求項５】
前記支持本体の前蓋は、前記二つの枢接部及び二つの枢動部を包囲するように、該前蓋の周縁から内壁面側方向に突出形成される周壁部をさらに備えることを特徴とする請求項４に記載の小動物用運動装置。
【請求項６】
前記連結凹部が、間隔をおいて配置される二つの開口穴及び二つの抜止め片を含み、該二つの開口穴は、該連結凹部の内周において対向するように形成され、該各抜止め片は、該連結凹部の開口周縁において、ラジアル内方へ突出し、前記軸受を位置決めさせるために用いられることを特徴とする請求項５に記載の小動物用運動装置。
【考案の詳細な説明】
【技術分野】
【０００１】
本考案は、小動物用運動装置に関し、特に廻し車を備えた小動物用運動装置に関するものである。
【背景技術】
【０００２】
ハムスター等の小動物をペットとして飼育する場合、ケージの中で生活するペットの運動不足やストレスを解消するために、ケージ内に廻し車などの小動物用運動装置を設置することが多い。
【０００３】
しかし、従来の廻し車は、片方の側面にしか開口を有しないため、小動物は片側から廻し車を出入りすることしかできず、また、従来の廻し車は、縦置きにしか設置されることができないため、小動物が中を水平方向に走ることしかできなく、運動パターンが制限されて、単調であるので、改善する必要があった。
【考案の概要】
【考案が解決しようとする課題】
【０００４】
本考案は、前記従来技術の欠点に鑑みてなされたものであり、小動物が走る廻し車の設置角度を調整することができ、多様な運動モードに切り替えることができる小動物用運動装置を提供することを目的としている。
【課題を解決するための手段】
【０００５】
上記目的を達成するために、本考案は、支持本体とスタンドと回転盤とを備える、小動物用運動装置であって、前記支持本体は、外壁面及び内壁面を有する前蓋と、該前蓋の内壁面に間隔をおいて配置される二つの枢接部とを含み、該前蓋の外壁面に連結凹部が設けられ、該二つの枢接部の相対向する側面にそれぞれ、位置決め突起が設けられ、前記スタンドは、後蓋と、該後蓋の一方側に間隔を置いて設置される二つの円盤状の枢動部とを含み、該各枢動部の周縁上に間隔をおいて配置される複数の位置決め切欠きを有し、該各位置決め切欠きの外形形状は、前記位置決め突起の外形形状に対応し、該位置決め突起は、該複数の位置決め切欠きのうちの一つに選択的に係合可能であり、該スタンドは、該両枢動部を介して該両枢接部に枢接されて、前記支持本体に枢動可能に連結され、前記回転盤は、表て面及び裏面を有し、該裏面に、前記連結凹部に回転自在に挿設されるための支持軸が突出形成されることを特徴とする。
【０００６】
前記複数の位置決め切欠きは、高角度用位置決めスリットと、低角度用位置決めスリットと、収納用位置決めスリットとから構成され、前記位置決め突起が該高角度用位置決めスリットに係合される時の前記回転盤の水平面に対する傾斜角度は２５度であり、該位置決め突起が該低角度用位置決めスリットに係合される時の該回転盤の水平面に対する傾斜角度は３５度であり、該位置決め突起が該収納用位置決めスリットに係合される時、前記後蓋は前記前蓋内に折り畳まれるように収納される状態となることを特徴とする。
【０００７】
前記連結凹部内に軸受がさらに設置され、前記支持軸の前記回転盤裏面寄りの端部に、該支持軸の外周を囲繞するように間隔をおいて配置され、ラジアル外方へ突出する複数の当り部が形成され、該複数の当り部が形成される端部の反対側の端部に、係止突起部が形成され、該係止突起部が前記軸受に挿設された状態で、該各当り部が該軸受に当接していることを特徴とする。
【０００８】
前記回転盤の表て面に複数のリブが突出形成され、該各リブは、該回転盤のラジアル方向に沿って延在し、間隔をおいて放射状に配列されることを特徴とする。
【０００９】
前記支持本体の前蓋は、前記二つの枢接部及び二つの枢動部を包囲するように、該前蓋の周縁から内壁面側方向に突出形成される周壁部をさらに備えることを特徴とする。
【００１０】
前記連結凹部が、間隔をおいて配置される二つの開口穴及び二つの抜止め片を含み、該二つの開口穴は、該連結凹部の内周において対向するように形成され、該各抜止め片は、該連結凹部の開口周縁において、ラジアル内方へ突出し、前記軸受を位置決めさせるために用いられることを特徴とする。
【考案の効果】
【００１１】
上述したように、本考案の優れたところは、高角度運動モード及び低角度運動モードに変更することが可能であることから、小動物に異なる運動体験及びランニング難易度を与えることができ、また、開放式の回転盤の設計により、小動物が任意の方向から回転盤を出入りすることができ、かつ、回転盤上を水平方向や斜め方向に走ったりすることができることから、多様な運動パターンを提供することが可能となり、さらに、折り畳み式に設計されていることから、不使用時の収納体積が小さく、携帯性や保管性に優れ、最後に、ハムスタは巣穴にこもる習性があるので、本考案は組立状態において、前蓋の外壁面、周壁部及び後蓋によって、ハムスターが隠れられる空間を提供することができる。
【図面の簡単な説明】
【００１２】
【図１】本考案の斜視図である。
【図２】本考案分解図である。
【図３】本考案の別の角度から見た分解図である。
【図４】本考案の局部断面図である。
【図５】本考案の低角度運動モードを示す模式図である。
【図６】本考案の高角度運動モードを示す模式図である。
【図７】本考案の収納状態を示す模式図である。
【図８】本考案の使用状態を示す模式図である。
【考案を実施するための形態】
【００１３】
本考案の技術特徴及び実用的な効果を深く理解できるように、且つ考案の内容に従って実現できるように、図面に示す好適な実施形態によって、以下のとおり詳細に説明する。
【００１４】
図１に示すように、本考案に係る小動物用運動装置は、支持本体１０と、スタンド２０と、回転盤３０とを備える。
【００１５】
図２〜図４に示すように、前記支持本体１０は、前蓋１１及び二つの枢接部1２を含み、該前蓋１１は、外壁面１１１、内壁面１１２及び周壁部１１３を有し、該外壁面１１１及び内壁面１１２は該前蓋１１の両表面であり、該周壁部１１３は該前蓋１１の周縁から、該内壁面１１２側方向に突出する平面視Ｕ字状の周壁構造である。前記前蓋１１の外壁面１１１上に、連結凹部１１４が凹むように形成され、該連結凹部１１４内に、周回段差面１１５、二つの開口穴１１６及び二つの抜止め片１１７を有し、該両開口穴１１６は互いに対向するように、該連結凹部１１４の内周壁面に設けられ、該抜止め片１１７は互いに対向するように、該連結凹部１１４の開口周縁に、ラジアル内方へ突出するように延在する。前記両枢接部１２は互いに対向するように、前記前蓋１１の内壁面１１２上にかつ周壁部１１３の包囲空間内に設置され、該各枢接部１２上に貫通状の軸穴１２１を有し、該両枢接部１２の相対向する側面上にそれぞれ、位置決め突起１２２が位置対応するように形成される。
【００１６】
前記スタンド２０は、板状の後蓋２１と、該後蓋２１の一方側に離間して対向するように設置される二つの円盤状の枢動部２２とを含む。該スタンド２０は、該両枢動部２２を介して前記支持本体１０に対して枢動可能に連結される。具体的に述べると、該各枢動部２２は枢軸２３４を有し、該各枢軸２３４を、対応する支持本体１０の枢接部１２の軸穴１２１に挿通して枢着すると、該スタンド２０と支持本体１０とは枢動可能に連結される。さらに、該各枢動部２２の周縁上に複数の位置決め切欠き２３が設けられ、該各位置決め切欠き２３は、該枢動部２２の周縁上に間隔をおいて配置され、前記位置決め突起１２２と嵌合可能に構成され、具体的に述べると、該各位置決め切欠き２３の外形は、該位置決め突起１２２の外形と対応しており、該位置決め突起１２２は、該複数の位置決め切欠き２３のうちの一つに選択的に係合可能に構成される。本実施例においては、前記位置決め突起１２２は突条状を呈し、これに対して、前記各位置決め切欠き２３は矩形状を呈し、また、前記各枢動部２２の複数の位置決め切欠き２３の数は三つであり、それぞれが、高角度用位置決めスリット２３１、低角度用位置決めスリット２３２及び収納用位置決めスリット２３３であり、該高角度用位置決めスリット２３１と低角度用位置決めスリット２３２と収納用位置決めスリット２３３とは、所定の中心角間隔で配置されており、該位置決め突起１２２が、異なる位置決め切欠き２３に係合されることにより、前記後蓋２１と前蓋１１との間の角度が調整される。尚、前記高角度用位置決めスリット２３１と低角度用位置決めスリット２３２と収納用位置決めスリット２３３との間の中心角は、所要に応じて、任意に設計変更することができる。
【００１７】
前記回転盤３０は、表て面３１及び裏面３２を有し、該表て面３１上に、複数のリブ３１１が突出形成され、該各リブ３１１は、該回転盤３０のラジアル方向に沿って延在すると共に間隔をおいて放射状に配列され、該裏面３２に、支持軸３２１が突出形成され、該支持軸３２１における該回転盤３０の裏面３２寄りの端部に、該支持軸３２１の外周を囲繞するように間隔をおいて配置されると共にラジアル外方へ突出する複数の当り部３２２が設置され、該支持軸３２１の他端に係止突起部３２３が設けられる。前記支持本体１０と回転盤３０は、前記支持軸３２１を介して、回転自在に連結される。その連結方法を詳しく説明すると、該支持本体１０の前蓋１１の連結凹部１１４内、軸受４０が装着されており、該軸受４０の一方側は、該連結凹部１１４の周回段差面１１５当接し、他方側は、抜止め片１１７に当接し、つまり、該軸受４０は、該周回段差面１１５と抜止め片１１７とによって挟持されて、該連結凹部１１４内に嵌着固定されている。前記支持軸３２１は、該軸受４０の内輪を挿通して、前記係止突起部３２３によって係止され、前記当り部３２２が該軸受４０の内輪に当接しており、この時、該支持軸３２１は、該連結凹部１１４に対して回転自在に支持されており、これで、該回転盤３０は、該支持本体１０に対して、該支持軸３２１廻りに回転自在に連結されるが、これに限定されるものではなく、軸受４０を使わなくてもよく、該支持本体１０と回転盤３０とは任意の方法で回転自在に連結されればよい。
【００１８】
本考案に係る小動物用運動装置を使用する時は、支持本体１０及びスタンド２０を開いて、位置決め突起１２２と位置決め切欠き２３とを係合させた後、載置面に乗せれば組立完了状態となる。当該位置決め突起１２２を異なる位置決め切欠き２３に係合させることにより、高角度運動モードや低角度運動モード又は収納状態に変更する。具体的に述べると、図５に示した低角度運動モードの場合においては、位置決め突起１２２が低角度用位置決めスリット２３２に係合され、この時の回転盤３０の載置面に対する角度は２５度であり、また、図６に示した高角度モードの場合、位置決め突起１２２が高角度用位置決めスリット２３１に係合される時においての、回転盤３０の載置面に対する角度は３５度であり、さらに、図７に示した収納状態の場合、位置決め突起１２２が収納用位置決めスリット２３３に係合される時、後蓋２１は前蓋１１内に折り畳まれて収納される。
【００１９】
図８に示すように、本考案に係る小動物用運動装置は、高角度運動モード及び低角度運動モードに変更することが可能であることから、小動物に異なる運動体験及びランニング難易度を与えることができ、また、開放式の回転盤３０の設計により、小動物が異なる方向から回転盤３０を出入りすることができ、かつ、回転盤３０上を水平方向や斜め方向に走ったりすることができることから、多様な運動パターンを提供することが可能となり、さらに、折り畳み式に設計されていることから、不使用時の収納体積が小さく、携帯性や保管性に優れ、最後に、ハムスタは巣穴にこもる習性があるので、本考案は組立状態において、前蓋１１の外壁面１１１、周壁部１１３及び後蓋２１によって、ハムスターが隠れられる空間を提供することができる。
【００２０】
上述した技術特徴によれば、回転盤３０の表て面３１上に突出状のリブ３１１が設けられることにより、ハムスターなどの小動物が走る際の足滑りを防止することができるので、小動物が回転盤３０上を思う存分走ることができる。
【００２１】
上述した技術特徴によれば、軸受４０を取り付ける際には、最初に、両抜止め片１１７をラジアル外方へ弾性変形させながら、軸受４０を連結凹部１１４内に押し込み、当該軸受４０が両抜止め片１１７を通過した後、軸受４０の一方側が両抜止め片１１７に当接し、他方側が、該連結凹部１１４の周回段差面１１５当接し、すなわち、当該軸受４０が該周回段差面１１５と抜止め片１１７とによって挟持されて、連結凹部１１４内に嵌着固定された状態となり、これにより、軸受４０が外へ抜けるのが阻止される。
【００２２】
以上の説明は、本考案の好適な実施形態に過ぎず、本考案に対して何ら限定を行うものではない。本考案について、比較的好適な実施形態をもって上記のとおり開示したが、これは本考案を限定するものではなく、すべての当業者が、本考案の技術構想を逸脱しない範囲において、本考案の技術の本質に基づいて上記の実施形態に対して行ういかなる簡単な修正、変更及び修飾も、依然としてすべて本考案の技術構想の範囲内にある。
【符号の説明】
【００２３】
１０  支持本体
１１  前蓋
１１１  外壁面
１１２  内壁面
１１３  周壁部
１１４  連結凹部
１１５  周回段差面
１１６  開口穴
１１７  抜止め片
１２  枢接部
１２１  軸穴
１２２  位置決め突起
２０  スタンド
２１  後蓋
２２  枢動部
２３  位置決め切欠き
２３１  高角度用位置決めスリット
２３２  低角度用位置決めスリット
２３３  収納用位置決めスリット
２３４  枢軸
３０  回転盤
３１  表て面
３１１  リブ
３２  裏面
３２１  支持軸
３２２  当り部
３２３  係止突起部
４０  軸受
【図１】
0003235258.tif 000003
【図２】
0003235258.tif 000004
【図３】
0003235258.tif 000005
【図４】
0003235258.tif 000006
【図５】
0003235258.tif 000007
【図６】
0003235258.tif 000008
【図７】
0003235258.tif 000009
【図８】
0003235258.tif 000010